(57)【要約】      （修正有）【課題】フィルムの不良箇所を除去して継目を作成することが必要以上にフィルムを除去することなく効率良くできる。【解決手段】フィルムロール１から巻き出されるフィルム４に取り付けられている不良ラベルの停止装置であって、継目作成台５と、ラベル位置センサ６と、ラベル検知センサ７とを備え、ラベル位置センサで、フィルムロールの端面から飛び出している不良ラベルの継目作成台との間が一定の距離以下になったことを感知し、不良ラベルが継目作成台に近づいて来ると、フィルムロールからフィルムを巻き出す速度を減速する手段と、ラベル検知センサで、フィルムロールから巻き出されたフィルムに取り付けられている不良ラベルが、ラベル検知センサを通過したことを検知すると、さらに、フィルムロールからフィルムを巻き出す速度を減速して、不良ラベルの一定距離手前の位置を継目作成台上で停止させる手段とを有することを特徴とする停止装置。【選択図】図１
2018043847.tif 000002
【特許請求の範囲】
【請求項１】
フィルムロールから巻き出されるフィルムに取り付けられている不良ラベルの停止装置であって、
継目作成台と、ラベル位置センサと、ラベル検知センサとを備え、
ラベル位置センサで、フィルムロールの端面から飛び出している不良ラベルの継目作成台との間が一定の距離以下になったことを感知し、不良ラベルが継目作成台に近づいて来ると、フィルムロールからフィルムを巻き出す速度を減速する手段と、
ラベル検知センサで、フィルムロールから巻き出されたフィルムに取り付けられている不良ラベルが、ラベル検知センサを通過したことを検知すると、さらに、フィルムロールからフィルムを巻き出す速度を減速して、不良ラベルの一定距離手前の位置を継目作成台上で停止させる手段とを有することを特徴とする停止装置。
【請求項２】
前記一定距離が２ｍであることを特徴とする請求項１記載の停止装置。
【請求項３】
請求項１又は２の停止装置を備えることを特徴とするスリッタ装置。
【発明の詳細な説明】
【技術分野】
【０００１】
本発明は、停止装置及びそれを備えるスリッタ装置に関する。
【背景技術】
【０００２】
一般に、スリッタ装置は、巻出部と、スリット前ガイドローラ部と、スリットカッタ部と、スリット後ガイドローラ部と、巻取部とを備え、
巻出部は、フィルムロールからフィルムを巻き出し、
スリット前ガイドローラ部は、巻き出されたフィルムを、スリットカッタ部に誘導し、
スリットカッタ部は、フィルムを縦方向に切断して、複数のフィルムに分離し、
スリット後ガイドローラ部は、分離された複数のフィルムを巻取部に誘導し、
巻取部は、分離された複数のフィルム毎に巻き取る装置である（例えば非特許文献１参照）。
【０００３】
ここで、フィルムロールは、図２に示すように、フィルムを巻筒２に巻き取ったもので、フィルムを製造する過程で生じた印刷やラミネート等の不良箇所に取り付けられ、この不良箇所を示す不良ラベル３が、端面１ａから飛び出している。
【０００４】
従来のスリッタ−装置には、図５に示すように、継目作成台５と、フィルムロール１の端面１ａから飛び出している不良ラベル３の継目作成台５との間が一定の距離以下になったことを感知するラベル位置センサ６（例えば特許文献１参照）と、スリット前ガイドローラ４０〜７０とを備え、不良ラベル３が継目作成台５に近づいて来ると、オペレーターに知らせていたものがあった。
【０００５】
そして、オペレーターは、不良ラベル３を目視で確認しながら、不良ラベル３の２ｍ手前の位置を継目作成台５上で停止させ、継目作成台５で不良ラベル３近辺を取り除いてフィルム４を継ぎ合わせて継目を作成していた。
【０００６】
しかしながら、不良ラベル３の２ｍ手前の位置を継目作成台５上で停止させるのを目視で行っていたために、精度に個人差があり、場合によっては、不良ラベル３の１０ｍ手前の位置を継目作成台５上で停止させてしまい、必要以上にフィルム４を除去しなければならないことがあった。
【０００７】
さらに、ラベル位置センサ６で不良ラベル３が継目作成台５に近づいて来たことを検知し、オペレーターに知らせた後、オペレーターはずっと目視で不良ラベル３を監視し続けなければならないため、その間拘束されてしまうので、効率が悪かった。
【先行技術文献】
【特許文献】
【０００８】
【特許文献１】特開２０１２−２５５４７号公報
【非特許文献】
【０００９】
【非特許文献１】“スリッタとは”、［ｏｎｌｉｎｅ］、株式会社西村製作所、平成２８年９月１４日検索。インターネット＜URL:http://www.ns-slitter.co.jp/slitter/slitter.html＞
【発明の概要】
【発明が解決しようとする課題】
【００１０】
本発明は、このような事情を考慮してなされたもので、フィルムの不良箇所を除去して継目を作成することが必要以上にフィルムを除去することなく効率良くできることを課題とする。
【課題を解決するための手段】
【００１１】
本発明において上記課題を解決するために、まず請求項１の発明では、
フィルムロールから巻き出されるフィルムに取り付けられている不良ラベルの停止装置であって、
継目作成台と、ラベル位置センサと、ラベル検知センサとを備え、
ラベル位置センサで、フィルムロールの端面から飛び出している不良ラベルの継目作成台との間が一定の距離以下になったことを感知し、不良ラベルが継目作成台に近づいて来ると、フィルムロールからフィルムを巻き出す速度を減速する手段と、
ラベル検知センサで、フィルムロールから巻き出されたフィルムに取り付けられている不良ラベルが、ラベル検知センサを通過したことを検知すると、さらに、フィルムロールからフィルムを巻き出す速度を減速して、不良ラベルの一定距離手前の位置を継目作成台上で停止させる手段とを有することを特徴とする停止装置としたものである。
【００１２】
また、請求項２の発明では、前記一定距離が２ｍであることを特徴とする請求項１記載の停止装置としてものである。
【００１３】
また、請求項３の発明では、請求項１又は２の停止装置を備えることを特徴とするスリッタ装置としたものである。
【発明の効果】
【００１４】
本発明は、不良ラベルの一定距離（例えば２ｍ）手前の位置を継目作成台上で停止させるので、継目作成台で、不良ラベルの前後一定距離の範囲のフィルムを除去して継ぎ合わせて継目を作成することができ、必要以上にフィルムを除去しなくて済み、さらに、不良ラベルが継目作成台に近づいて来てから、オペレーターがずっと目視で不良ラベルを監視し続け停止させる必要がなくなり、停止するまでの間、別の作業を行うことができ、効率が上がる。
【００１５】
以上、本発明は、フィルムの不良箇所を除去して継目を作成することが必要以上にフィルムを除去することなく効率良くできるという効果がある。
【図面の簡単な説明】
【００１６】
【図１】本発明のスリッタ装置の巻出部及びスリット前ガイドローラ部の模式図。
【図２】フィルムロールの一例を示す図であって、（ａ）は側面図、（ｂ）は（ａ）のＡ拡大図。
【図３】不良ラベルをラベル検知センサが検知する仕組を説明する図であって、（ａ）は不良ラベルがラベル検知センサを通過する前を示し、（ｂ）は不良ラベルがラベル検知センサを通過している最中を示す図。
【図４】フィルムロールから巻き出されて流れるフィルムの不良ラベルをラベル検知センサが検知する仕組を説明する図であって、（ａ）は不良ラベルがラベル検知センサを通過する前を示し、（ｂ）は不良ラベルがラベル検知センサを通過している最中を示す図。
【図５】従来のスリッタ装置の巻出部及びスリット前ガイドローラ部の模式図。
【発明を実施するための形態】
【００１７】
以下に、本発明の一実施形態を説明する。
【００１８】
本発明のスリッタ装置は、図１に示すように、継目作成台５と、ラベル位置センサ６と、ラベル検知センサ７と、スリット前ガイドローラ１０〜７０とを備える。
【００１９】
継目作成台５は、フィルム４の不良ラベル３近辺を取り除いて継ぎ合わせて継目を作成する作業台である。
【００２０】
ラベル位置センサ６は、フィルムロール１の端面１ａから飛び出している不良ラベル３の継目作成台５との間の距離を測定するセンサである。
【００２１】
ラベル検知センサ７は、フィルムロール１から巻き出されたフィルム４に取り付けられている不良ラベル３の通過を検知するセンサである。
【００２２】
スリット前ガイドローラ１０〜７０は、フィルムロール１から巻き出されたフィルム４を、ラベル検知センサ６、継目作成台５を経由して、上述したスリットカッタ部に誘導するローラである。
【００２３】
本発明のスリッタ装置は、ラベル位置センサ６で、フィルムロール１の端面１ａから飛び出している不良ラベル３の継目作成台５との間が一定の距離以下になったことを感知し、不良ラベル３が継目作成台５に近づいて来ると、フィルムロール１を巻き出す速度を減速し、ラベル検知センサ７で、フィルムロール１から巻き出されたフィルム４に取り付けられている不良ラベル３が、ラベル検知センサ７を通過したことを検知すると、さらに、フィルムロール１を巻き出す速度を減速して、不良ラベル３の２ｍ手前の位置を継目作成台５上で停止させる。
【００２４】
不良ラベル３が継目作成台５に近づいて来たことは、例えば、不良ラベル３が継目作成台５から所定距離に到達したことで判断されてもよい。
【００２５】
ラベル検知センサ７は、図３（ａ）に示すように、投光器７ａと受光器７ｂを有する凹状で、投光器７ａは受光器７ｂに向けて赤外線等の光線８を照射し、受光器７ｂは投光器７ａが照射した光線８を受け、図４（ａ）に示すように、フィルム４が、フィルムの流れ方向９に流れて、図３（ｂ）及び図４（ｂ）に示すように、不良ラベル３が投光器７ａと受光器７ｂとの間を通過する際に、光線８を遮断することで、この通過を検知するセンサである。
【符号の説明】
【００２６】
１…フィルムロール
１ａ…端面
２…巻筒
３…不良ラベル
４…フィルム
５…継目作成台
６…ラベル位置センサ
７…ラベル検知センサ
７ａ…投光器
７ｂ…受光器
８…光線
９…フィルムの流れ方向
１０…スリット前ガイドローラ
２０…スリット前ガイドローラ
３０…スリット前ガイドローラ
４０…スリット前ガイドローラ
５０…スリット前ガイドローラ
６０…スリット前ガイドローラ
７０…スリット前ガイドローラ
【図１】
2018043847.tif 000003
【図２】
2018043847.tif 000004
【図３】
2018043847.tif 000005
【図４】
2018043847.tif 000006
【図５】
2018043847.tif 000007